(57)【要約】  【課題】  ＤＶＤ＋ＲＷ等の上書き可能な光ディスクに対する誤った上書きや消去を防止してユーザにとって使い勝手のよい光ディスク装置を提供する。  【解決手段】  制御部は、ユーザから消去禁止に設定されたタイトル３４０と当該タイトル３４０よりも前に在るタイトル３１０，３２０，３３０とを光ディスク内において入れ替えることによってタイトル３４０を記録可能領域２１１の先頭に移動させ、さらにタイトル３４０は消去禁止であることを示す情報を光ディスクに記録する。また、制御部は、タイトル３１０，３２０，３３０，３４０のサムネイルを、表示装置において、タイトル３１０，３２０，３３０，３４０の光ディスク内における記録位置順に並べて表示する。また、制御部は、消去禁止のタイトル３４０に記録を行う指示を取得したならば、記録可能領域２１２の先頭から記録を開始するように光ディスクドライブ部を制御する。【選択図】      図２
2006318595.tif 000002
【特許請求の範囲】
【請求項１】
制御部と、
前記制御部の制御下、上書き可能な光ディスクに対して記録動作および読み込み動作を
行う光ディスクドライブ部と、
ユーザからの指示を取得して前記制御部へ伝達する入力部と、を備え、
前記制御部は、
前記光ディスク内のタイトル記録可能領域内の指定のタイトルを消去禁止に設定する指
示を前記入力部を介して取得した場合に行う、前記指定タイトルと前記タイトル記録可能
領域内において前記指定タイトルよりも前に在る他のタイトルとを前記光ディスク内にお
いて入れ替えることによって前記指定タイトルを前記タイトル記録可能領域の先頭に移動
するタイトル移動制御、および、前記指定タイトルは消去禁止であることを示す情報を前
記光ディスクに記録する消去禁止情報記録制御と、
前記光ディスク内のタイトルに関する情報を、表示装置において、対応するタイトルの
前記光ディスク内における記録位置順に並べて表示する情報表示制御と、
消去禁止のタイトルに対して前記記録動作を行う指示を前記入力部を介して取得した場
合に行う、前記消去禁止タイトルの後ろの前記タイトル記録可能領域の先頭から前記記録
動作を開始するように前記光ディスクドライブ部を制御する記録位置制御と、を行うこと
を特徴とする光ディスク装置。
【請求項２】
制御部と、
前記制御部の制御下、上書き可能な光ディスクに対して記録動作および読み込み動作を
行う光ディスクドライブ部と、
ユーザからの指示を取得して前記制御部へ伝達する入力部と、を備え、
前記制御部は、
前記光ディスク内のタイトル記録可能領域内の指定のタイトルを消去禁止に設定する指
示を前記入力部を介して取得した場合に、
前記指定タイトルを前記光ディスクにおいて前記タイトル記録可能領域の先頭に移動す
るタイトル移動制御と、
前記指定タイトルは消去禁止であることを示す情報を前記光ディスクに記録する消去禁
止情報記録制御と、を行い、
前記制御部は、
前記光ディスク内のタイトルに関する情報を、表示装置において、対応するタイトルの
前記光ディスク内における記録位置順に並べて表示する情報表示制御を行うことを特徴と
する光ディスク装置。
【請求項３】
前記制御部は、消去禁止のタイトルに対して前記記録動作を行う指示を前記入力部を介
して取得した場合、前記消去禁止タイトルの後ろの前記タイトル記録可能領域の先頭から
前記記録動作を開始するように前記光ディスクドライブ部を制御する記録位置制御をさら
に行うことを特徴とする請求項２に記載の光ディスク装置。
【発明の詳細な説明】
【技術分野】
【０００１】
本発明は、光ディスク装置に関し、特にＤＶＤ（Digital Versatile Disk）＋ＲＷ（Re
Writable）等の上書き可能な光ディスクに対する誤った上書きや消去を防止する技術に関
する。
【背景技術】
【０００２】
ＤＶＤ＋ＲＷは、ＤＶＤビデオフォーマットに準拠したＤＶＤ＋ＲＷビデオレコーディ
ングフォーマット（またはＤＶＤ＋ＶＲ（Video Recording）フォーマット）の採用によ
って、空き領域への追記や既にタイトルが記録されている領域への上書きが可能である。
この点は、ＶＣＲ（Video Cassette Recorder）と似通っている。
【特許文献１】特開平１０−１１２１１５号公報
【特許文献２】特開平１１−１７６０９６号公報
【特許文献３】特開２００１−１６７５０７号公報
【発明の開示】
【発明が解決しようとする課題】
【０００３】
しかし、従来のＤＶＤ装置では、例えばディスクの先頭にあるタイトルを選択または指
定した状態から記録を開始すると当該先頭タイトルの領域から録画が開始されるので、既
存のタイトルが上書きされて消えてしまうという問題がある。
【０００４】
本発明は、かかる点にかんがみてなされたものであり、ＤＶＤ＋ＲＷ等の上書き可能な
光ディスクにおいて誤った上書きや消去を防止してユーザにとって使い勝手のよい光ディ
スク装置を提供することを目的とする。
【課題を解決するための手段】
【０００５】
上記目的を達成するために本発明は、光ディスク装置において、制御部と、前記制御部
の制御下、上書き可能な光ディスクに対して記録動作および読み込み動作を行う光ディス
クドライブ部と、ユーザからの指示を取得して前記制御部へ伝達する入力部と、を備え、
前記制御部は、前記光ディスク内のタイトル記録可能領域内の指定のタイトルを消去禁止
に設定する指示を前記入力部を介して取得した場合に、前記指定タイトルを前記光ディス
クにおいて前記タイトル記録可能領域の先頭に移動するタイトル移動制御と、前記指定タ
イトルは消去禁止であることを示す情報を前記光ディスクに記録する消去禁止情報記録制
御と、を行い、前記制御部は、前記光ディスク内のタイトルに関する情報を、表示装置に
おいて、対応するタイトルの前記光ディスク内における記録位置順に並べて表示する情報
表示制御を行うことを特徴とする。
【０００６】
このような構成によれば、タイトル移動制御および情報表示制御と、消去禁止情報記録
制御と、による二重の消去プロテクトをかけることができるので、消去禁止タイトルに対
して誤って上書きしたり消去したりするのを防止することができる。このとき、タイトル
移動制御および情報表示制御によれば、消去禁止タイトルはタイトル記録可能領域よりも
前に在るので（消去禁止情報記録制御後は消去禁止タイトルの記録領域はタイトル記録可
能領域から外れることになる）、消去禁止タイトルに関する情報はタイトル記録可能領域
内の他のタイトルよりも画面上、上位に表示される。これにより上位に表示された情報に
係るタイトルは消去禁止の設定がされており当該タイトルに対しては上書き・消去の指示
はできないことをユーザに喚起することができるので、上述のように誤った上書きや消去
を防止することができる。特に非常に多くの情報が表示される場合には上位の表示ほどユ
ーザの注意を引きやすいので、かかる効果は顕著である。その結果、ユーザにとって使い
勝手のよい光ディスク装置を提供することができる。しかも、タイトル移動制御によれば
、消去禁止タイトルを移動させずにタイトル記録可能領域の途中に残しておく場合と比べ
て、連続した広い領域をその後のタイトル記録可能領域として確保することができる。す
なわち長時間記録が可能である。この点においても、ユーザにとって使い勝手のよい光デ
ィスク装置を提供することができる。
【０００７】
また、前記制御部は、消去禁止のタイトルに対して前記記録動作を行う指示を前記入力
部を介して取得した場合、前記消去禁止タイトルの後ろの前記タイトル記録可能領域の先
頭から前記記録動作を開始するように前記光ディスクドライブ部を制御する記録位置制御
をさらに行うことが好ましい。
【０００８】
このような構成によれば、消去禁止タイトルに対して記録動作が行われようとしている
場合に当該タイトルからではなくタイトル記録可能領域の先頭から記録動作を開始するの
で、上述の誤った上書きや消去をより確実に防止することができる。これとともに、ユー
ザが記録位置の確認をする時間および手間を省いて記録動作をすばやく開始することがで
きる。これにより、ユーザにとって使い勝手のよい光ディスク装置を提供することができ
る。
【０００９】
また、前記タイトル移動制御は、前記指定タイトルと前記タイトル記録可能領域内にお
いて前記指定タイトルよりも前に在る他のタイトルとを前記光ディスク内において入れ替
えることによって前記指定タイトルを前記タイトル記録可能領域の前記先頭に移動する制
御であることが好ましい。
【００１０】
このような構成によれば、消去禁止タイトルの移動先にある他のタイトルを上書き・消
去することなく光ディスク内に残しておくことができる。このため、ユーザは、消去禁止
の設定をする際に上記他のタイトルを管理する必要がない。したがって、ユーザにとって
使い勝手のよい光ディスク装置を提供することができる。
【００１１】
なお、上記特許文献１〜３のいずれにも上記タイトル移動制御は開示されていない。
【発明の効果】
【００１２】
本発明によれば、既存のタイトルに対して誤って上書きしたり消去したりするのを防止
することができ、ユーザにとって使い勝手のよい光ディスク装置を提供することができる
。
【発明を実施するための最良の形態】
【００１３】
図１に本発明の実施形態に係るＤＶＤ装置（光ディスク装置）１を説明するためのブロ
ック図を示す。図１に示すように、ＤＶＤ装置１は外観上、装置本体２とリモートコント
ロール装置（以下「リモコン」とも呼ぶ）５１という２つの個体として捉えられる。
【００１４】
なお、図１には説明のためにＤＶＤ（光ディスク）２００を図示しているが、ここでは
、上書き可能な光ディスクであるＤＶＤ＋ＲＷとする。また、図１には説明のために外部
接続された表示装置６９も図示している。表示装置６９として、ＣＲＴ（Cathode-ray Tu
be）ディスプレイ、液晶パネルディスプレイ、プラズマディスプレイ等の種々のタイプの
表示装置が適用可能である。
【００１５】
図１に示すように、ＤＶＤ装置１は、制御部１０と、ＤＶＤドライブ部（光ディスクド
ライブ部）２０と、ハードディスク（ＨＤＤ）部３０と、リモコン５１と、リモコン受光
部５２と、装置本体２に設けられた操作スイッチ（または操作ボタン）５３と、前面パネ
ル制御部５４と、前面パネル表示部６１と、出力信号生成部６２と、チューナ８１と、外
部入力端子８２と、スイッチ（またはセレクタ）８３と、入力信号処理部８４と、を含ん
でいる。なお、前面パネル制御部５４との区別のため、制御部１０を「メイン制御部１０
」とも呼ぶことにする。
【００１６】
図１に示すように、メイン制御部１０はＣＰＵ（Central Processing Unit）１１およ
びメモリ１２を含んで構成される。なお、メモリ１２は、メイン制御部１０による各種制
御についてのプログラムやデータが格納されているＲＯＭ（Read Only Memory）や、ＣＰ
Ｕ１１がワークエリアとして利用するＲＡＭ（Random Access Memory）等を総称するもの
とする。ＣＰＵ１１がメモリ１２内のプログラムを実行することによって、メイン制御部
１０による各種制御が具現化される。
【００１７】
ＤＶＤドライブ部２０は、ＤＶＤ２００に対して記録動作（または書き込み動作）およ
び読み込み動作を実施可能に構成されており、例えば光ヘッドや当該光ヘッドのための制
御回路および機械的機構等を含んでいる。ハードディスク部３０は、映像等の大容量デー
タを記録可能であるとともに、メイン制御部１０が補助記憶装置としても利用可能なもの
である。
【００１８】
ＤＶＤドライブ部２０およびハードディスク部３０はメイン制御部１０によって動作が
制御される。特にＤＶＤ装置１では、メイン制御部１０の制御下、ＤＶＤ２００（ここで
はＤＶＤ＋ＲＷ）に対する記録および読み込みを、ＤＶＤビデオフォーマットに準拠した
ＤＶＤ＋ＲＷビデオレコーディングフォーマットに従って実行可能に構成される。なお、
メイン制御部１０の制御下、ＤＶＤドライブ部２０およびハードディスク部３０は相互に
データ転送可能に設けられている。
【００１９】
リモコン５１および装置本体２に設けられた操作スイッチ５３はユーザからの各種指示
を取得するための手段である。リモコン５１からの信号はリモコン受光部５２を介して前
面パネル制御部５４へ伝達される。前面パネル制御部５４は、リモコン受光部５２および
操作スイッチ５３からの信号をその内容に応じたコマンド信号に変換してメイン制御部１
０へ出力する。このとき、ＤＶＤ装置１において、リモコン５１と、リモコン受光部５２
と、操作スイッチ５３と、前面パネル制御部５４とから成る構成を「入力部５０」と呼ぶ
とき、当該入力部５０によってユーザからの指示がＤＶＤ装置１内に取得されメイン制御
部１０へ伝達される。
【００２０】
また、前面パネル制御部５４は、メイン制御部１０の制御下、種々の制御を行う。例え
ば、前面パネル制御部５４は、ＤＶＤ装置１の動作状況、操作や設定についてのガイドメ
ニュー、時刻等を前面パネル表示部６１において表示するために、当該表示部６１の表示
制御を行う。
【００２１】
チューナ８１は、不図示のテレビアンテナ等から導かれた複数のテレビ放送信号の中か
ら受信を希望するチャンネルのテレビ放送信号を選択して出力する。外部入力端子８２は
他の外部装置からの信号を取り込むための端子である。チューナ８１および外部入力端子
８２からの信号はスイッチ８３に入力され、当該スイッチ８３においていずれの信号を入
力信号処理部８４へ入力するかが切り換えられる。入力信号処理部８４は、スイッチ８３
からの信号をメイン制御部１０において処理可能な形式の信号またはデータに変換してメ
イン制御部１０へ出力する。例えば、スイッチ８３からの信号をデジタル信号に変換し更
にそのデジタル信号から符号化したデジタルデータを作成してメイン制御部１０へ出力す
る。
【００２２】
そして、メイン制御部１０は、チューナ８１、外部入力端子８２、ＤＶＤ２００、ハー
ドディスク部３０（内のハードディスク）から取得したデータ等に基づいて、出力信号生
成部６２を制御する。出力信号生成部６２は、メイン制御部１０の制御下、表示装置６９
に適した出力信号（映像信号および音声信号）を生成し、当該装置６９へ出力する。例え
ば当該表示装置６９がアナログ方式の場合、出力信号生成部６２は、メイン制御部１０か
らのデジタルデータを複合化してデジタル信号を生成し更にそのデジタル信号をアナログ
信号に変換して出力信号を生成し、出力する。
【００２３】
また、出力信号生成部６２は、メイン制御部１０の制御下、上記出力信号として、上述
の動作状況やガイドメニュー等を表示装置６９においてＯＳＤ（オンスクリーンディスプ
レイ）表示や音声出力するための信号を生成し、出力する。
【００２４】
このような構成下、ＤＶＤ装置１では特に次のような制御が行われる。図２にメイン制
御部１０による当該制御を説明するための模式図を示し、図３に図２中の管理情報３００
を説明するための模式図を示し、図４および図５に当該制御を説明するためのフローチャ
ートを示す。また、図６および図７に当該制御に関して、表示装置６９における画面表示
の模式図を示す。
【００２５】
既述のようにＤＶＤドライブ部２０は、メイン制御部１０の制御下、ＤＶＤ２００（こ
こではＤＶＤ＋ＲＷ）に対する記録動作および読み込み動作をＤＶＤ＋ＲＷビデオレコー
ディングフォーマットに従って実行する。このとき、図２に示すように、ＤＶＤ＋ＲＷビ
デオレコーディングフォーマットによれば、ＤＶＤ２００のＤＶＤビデオ領域（またはＤ
ＶＤビデオゾーン）の先頭に管理情報３００が記録され、当該管理情報３００に続いてタ
イトル（図２の例では４つのタイトル３１０，３２０，３３０，３４０）が記録される。
【００２６】
なお、図２に示すファイル構造図において、図面左方向をＤＶＤビデオ領域（さらには
当該領域が含まれるＤＶＤ２００のデータ記録領域）の「前方」と観念し、同右側を「後
方」と観念することにし、上述の“（ＤＶＤビデオ領域の）先頭”のような表現を用いる
ことにする。
【００２７】
上記管理情報３００は、ビデオマネージャ（ＶＭＧ）および／またはビデオタイトルセ
ット情報（ＶＴＳＩ）によって管理される。ビデオマネージャ（ＶＭＧ）は、ビデオマネ
ージャ情報（ＶＭＧＩ）と、メニュー用ビデオオブジェクトセット（ＶＭＧＭ＿ＶＯＢＳ
）と、ビデオマネージャ情報のバックアップ（ＶＭＧＩ＿ＢＵＰ）とで構成される。ビデ
オマネージャ情報（ＶＭＧＩ）は、ＤＶＤビデオ領域全体を管理・制御するための情報で
あり、ビデオタイトルセット情報（ＶＴＳＩ）は、１以上のタイトルから成るビデオタイ
トルセット（ＶＴＳ）を管理・制御するための情報であり、ビデオタイトルセット毎に設
けられる。
【００２８】
図３に示すように、管理情報３００には、例えば、タイトル３１０，３２０，３３０，
３４０の再生順序に関する情報（再生情報）、各タイトル３１０，３２０，３３０，３４
０についての記録位置に関する情報（記録位置情報）、消去禁止の設定（オン／オフ設定
）に関する情報（消去禁止情報）およびタイトル３１０，３２０，３３０，３４０のサム
ネイル（「インデックスピクチャ」とも呼ばれる）３１１，３２１，３３１，３４１等が
含まれる。なお、ＤＶＤ装置１では、タイトル３１０，３２０，３３０，３４０の記録時
にメイン制御部１０がサムネイル３１１，３２１，３３１，３４１を作成してあらかじめ
ＤＶＤ２００の管理情報３００に格納しておくものとする。
【００２９】
ここでは、図２の（Ａ）に示す状態、すなわちＤＶＤ２００には４つのタイトル３１０
，３２０，３３０，３４０がこの順序で記録されており、タイトル３４０よりも後ろの領
域は空き領域３５０である状態を、例に挙げて説明する。このとき、図２の（Ａ）の状態
では４つのタイトル３１０，３２０，３３０，３４０には消去禁止の設定がなされていな
いものとする。なお、管理情報３００の記録領域よりも後ろにおいて上書きまたは追記に
よってタイトルを記録可能な領域（換言すれば消去禁止に設定されていない領域）を「タ
イトル記録可能領域」または単に「記録可能領域」と呼ぶことにする。これによれば、図
２の（Ａ）の状態ではタイトル３１０，３２０，３３０，３４０の領域および空き領域３
５０が記録可能領域２１１を構成しており、逆に言えば記録可能領域２１１内にタイトル
３１０，３２０，３３０，３４０が記録されていることになる。
【００３０】
まず、所望のタイトル３１０，３２０，３３０または３４０を消去禁止に設定する場合
を説明する。
【００３１】
図２の（Ａ）の状態のＤＶＤ２００がＤＶＤドライブ部２０にセッティングされると、
メイン制御部１０は、図４にステップＳＴ１１として示すように、サムネイル３１１，３
２１，３３１，３４１を、対応するタイトル３１０，３２０，３３０，３４０のＤＶＤ２
００内における記録位置順に、表示装置６９において表示する（情報表示制御）。
【００３２】
具体的には、メイン制御部１０は、ＤＶＤドライブ部２０を制御して、ＤＶＤ２００内
のタイトル３１０，３２０，３３０，３４０に関する情報としてあらかじめ準備されてい
るサムネイル３１１，３２１，３３１，３４１（図３参照）を読み込むことによって、サ
ムネイル３１１，３２１，３３１，３４１を取得する。そして、メイン制御部１０は、出
力信号生成部６２を制御して、サムネイル３１１，３２１，３３１，３４１を表示装置６
９において表示する。このとき、メイン制御部１０は、サムネイル３１１，３２１，３３
１，３４１が表示装置６９において、タイトル３１０，３２０，３３０，３４０のＤＶＤ
２００内における記録位置順に並ぶように出力信号生成部６２を制御する（図６参照）。
【００３３】
図６に示す画面表示の例では、４つのサムネイル３１１，３２１，３３１，３４１を２
行２列に表示しているが、画面上方に近いほど画面表示において上位の位置であり、同じ
行においては画面左側ほど画面表示において上位の位置とする。すなわち、図６の例では
画面表示における上位から、４つのサムネイル３１１，３２１，３３１，３４１がこの順
序で表示されており、この表示位置順は、対応するタイトル３１０，３２０，３３０，３
４０のＤＶＤ２００内における記録位置順と一致する。
【００３４】
なお、ここではあらかじめ準備されたサムネイル３１１，３２１，３３１，３４１をＤ
ＶＤ２００から読み込むことによって、これらを取得するが、次のように構成しても構わ
ない。すなわち、タイトル３１０，３２０，３３０，３４０のうちでサムネイル３１１，
３２１，３３１，３４１として利用する映像のＤＶＤ２００における記録位置等を管理情
報３００において管理し、必要時ごとにメイン制御部１０が管理情報３００を参照して上
記映像からサムネイル３１１，３２１，３３１，３４１を生成することによって、サムネ
イル３１１，３２１，３３１，３４１を取得するように構成しても構わない。
【００３５】
また、例えば各タイトル３１０，３２０，３３０，３４０のタイトル名、説明文、記録
日時、記録時間等の情報を管理情報３００において管理することにより、かかる情報をＤ
ＶＤ２００から読み込み、サムネイル３１１，３２１，３３１，３４１の代わりにまたは
サムネイル３１１，３２１，３３１，３４１とともに、ＤＶＤ２００内のタイトル３１０
，３２０，３３０，３４０に関する情報として表示しても構わない。
【００３６】
そして、ユーザが、リモコン５１（図１参照）等の操作によって、タイトル（ここでは
タイトル３４０とする）を指定または選択して当該タイトル３４０を消去禁止に設定する
指示を入力したならば、メイン制御部１０は、図４にステップＳＴ１２として示すように
、入力部５０（図１参照）を介してその指示を取得する。
【００３７】
かかる指示の取得によってメイン制御部１０は、図４にステップＳＴ１３として示すよ
うに、ＤＶＤドライブ部２０を制御して、ユーザが指定したタイトル３４０を記録可能領
域２１１の先頭に移動させる（タイトル移動制御）。
【００３８】
具体的には、メイン制御部１０は、図２の（Ａ）の状態において記録可能領域２１１内
で指定タイトル３４０よりも前に在る他のタイトル３１０，３２０，３３０と、指定タイ
トル３４０と、をＤＶＤ２００内での記録位置を入れ替えることによって、図２の（Ｂ）
に示すように指定タイトル３４０を記録可能領域２１１（後述のように記録可能領域２１
２として更新される）の先頭に移動させる。このとき、例えば、ＤＶＤ２００からメイン
制御部１０のメモリ１２またはメイン制御部１０の制御下でハードディスク部３０へタイ
トル３１０，３２０，３３０，３４０を一旦読み込み、入れ替え後の順序すなわちタイト
ル３４０，３１０，３２０，３３０の順序でＤＶＤ２００の記録可能領域２１１の先頭か
ら記録すれば（上書きすれば）、上述のタイトル移動制御を実施することができる。なお
、かかるタイトル移動に伴って、メイン制御部１０は、ＤＶＤドライブ部２０を制御して
、ＤＶＤ２００内の管理情報３００中、各タイトル３１０，３２０，３３０，３４０の記
録位置情報（図３参照）等を更新する。
【００３９】
さらに、図４にステップＳＴ１４として示すように、メイン制御部１０は、ＤＶＤドラ
イブ部２０を制御して、指定タイトル３４０は消去禁止であるという情報をＤＶＤ２００
に記録する（消去禁止情報記録制御）。具体的には、メイン制御部１０は、ＤＶＤ２００
内の管理情報３００中、指定タイトル３４０の消去禁止情報（図３参照）を消去禁止オン
に更新する。なお、消去禁止のオン／オフの設定は、例えば、管理情報３００中の消去禁
止情報に所定のフラグを割り当て、当該フラグの状態の設定によって実施可能である。
【００４０】
このようなタイトル移動制御および消去禁止情報記録制御の後において、ＤＶＤ２００
内には、図２の（Ｂ）に示すように、管理情報３００に続いて、タイトル３４０，３１０
，３２０，３３０がこの順序で記録されている。なお、上記制御後、記録可能領域２１１
は記録可能領域２１２に更新される。すなわち、タイトル３４０は消去禁止に設定されて
いるので当該タイトル３４０の領域は記録（上書き）ができない領域（「タイトル記録不
可領域」または単に「記録不可領域」と呼ぶことにする）２２２となり、当初の記録可能
領域２１１から記録不可領域２２２を除いた領域が、新たな記録可能領域２１２になる。
【００４１】
タイトル３４０が消去禁止に設定された図２の（Ｂ）の状態から、さらにタイトル３２
０を消去禁止に設定する場合も同様の制御が行われる。すなわち、メイン制御部１０は、
図２の（Ｂ）および（Ｃ）に示すように、指定のタイトル３２０と、更新された記録可能
領域２１２において当該指定タイトル３２０よりも前に在る他のタイトル３１０とを入れ
替えることによって、指定タイトル３２０を記録可能領域２１２の先頭に移動させる（タ
イトル移動制御）。そして、メイン制御部１０は、管理情報３００中の当該指定タイトル
３２０の消去禁止情報（図３参照）を更新して消去禁止オンに設定する（消去禁止情報記
録制御）。かかる後のＤＶＤ２００には、図２の（Ｃ）に示すように、管理情報３００に
続いて、タイトル３４０，３２０，３１０，３３０がこの順序で記録されており、記録可
能領域２１２はタイトル３２０の領域を除いた記録可能領域２１３に更新され、記録不可
領域２２２はタイトル３２０の領域を加えた記録不可領域２２３に更新される。
【００４２】
次に、図２の（Ｃ）に示す状態のＤＶＤ２００に対して新たなタイトルをチューナ８１
（図１参照）等から記録する場合を説明する。
【００４３】
ＤＶＤ２００がＤＶＤドライブ部２０（図１参照）にセッティングされると、図５に示
すように、メイン制御部１０は、上述のステップＳＴ１１と同様に、タイトル３４０，３
２０，３１０，３３０のサムネイル３４１，３２１，３１１，３３１を、対応するタイト
ル３４０，３２０，３１０，３３０のＤＶＤ２００内における記録位置順に表示装置６９
に表示する（図７参照）。このとき、図７に示すように、画面表示における上位から、４
つのサムネイル３４１，３２１，３１１，３３１がこの順序で表示されており、この表示
位置順はタイトル３４０，３２０，３１０，３３０のＤＶＤ２００内における記録位置順
と一致する。
【００４４】
そして、ユーザが、リモコン５１（図１参照）等の操作によって、タイトル（ここでは
タイトル３４０とする）を指定または選択し、当該タイトル３４０の先頭から新たなタイ
トルの記録を開始する旨すなわちタイトル３４０に対して新たなタイトルを上書きする旨
の指示を入力したならば、メイン制御部１０は、図５にステップＳＴ２１として示すよう
に、入力部５０（図１参照）を介してその指示を取得する。
【００４５】
かかる指示を取得したメイン制御部１０は、図５にステップＳＴ２２として示すように
、ユーザ指定のデータ３４０よりも後ろの領域である記録可能領域２１３の先頭から上記
新たなタイトルの記録を開始する（記録位置制御）。
【００４６】
具体的には、ステップＳＴ２２は次のステップＳＴ２２Ａ，ＳＴ２２Ｂ，ＳＴ２２Ｃか
ら成る。すなわち、図５にステップＳＴ２２Ａとして示すように、メイン制御部１０は、
ＤＶＤドライブ部２０を制御することによりＤＶＤ２００の管理情報３００中の消去禁止
情報（図３参照）を参照し、指定のタイトル３４０の消去禁止設定のオン／オフをチェッ
クする。ここではタイトル３４０の消去禁止設定はオンになっているので、メイン制御部
１０は、ステップＳＴ２２Ｂとして示すように、指定されたタイトル３４０の次の（後ろ
の）タイトル３２０の消去禁止設定のオン／オフを同様にチェックする。ここではタイト
ル３２０の消去禁止設定もオンになっているので、メイン制御部１０は、さらにステップ
ＳＴ２２Ｂを繰り返し、タイトル３２０の次の（後ろの）タイトル３１０の消去禁止設定
のオン／オフを同様にチェックする。ここではタイトル３１０の消去禁止設定はオフにな
っているので、メイン制御部１０は、ステップＳＴ２２Ｃとして示すように、タイトル３
１０の先頭を記録開始位置に設定して新たなタイトルを記録していく（上書きしていく）
。
【００４７】
なお、ユーザが消去禁止設定オンのタイトル３２０を指定した場合は、ステップＳＴ２
２Ｂを繰り返すことなく、ステップＳＴ２２ＢからステップＳＴ２２Ｃへ移行する。また
、ユーザが消去禁止設定オフのタイトル３１０または３３０を指定した場合は、ステップ
ＳＴ２２Ｂを経ることなく、ステップＳＴ２２ＡからステップＳＴ２２Ｃへ移行する。
【００４８】
ここでは、ステップＳＴ２２Ｂによってユーザ指定のタイトル３４０の後ろに在るタイ
トル３２０，３１０の消去禁止設定を順番にチェックしていくという例を挙げたが、例え
ば管理情報３００に記録可能領域２１３の先頭位置の情報を含めるように構成すれば、ス
テップＳＴ２２Ｂに替えて、メイン制御部１０が管理情報３００を参照して記録可能領域
２１３の先頭位置を取得し当該位置を記録開始位置に設定するというステップ（または制
御）を適用することもできる。
【００４９】
このようなＤＶＤ装置１によれば、次のような効果が得られる。なお、ここではタイト
ル３４０を消去禁止に設定するまたは設定されている上述の状態を例に挙げて説明する。
【００５０】
まず、タイトル移動制御（すなわちステップＳＴ１３）および情報表示制御（すなわち
ステップＳＴ１１）と、消去禁止情報記録制御（すなわちステップＳＴ１４）と、による
二重の消去プロテクトをかけることができるので、消去禁止タイトル３４０に対して誤っ
て上書きしたり消去したりするのを防止することができる。
【００５１】
このとき、タイトル移動制御および情報表示制御によれば、消去禁止タイトル３４０は
記録可能領域２１２よりも前に在るので、消去禁止タイトル３４０のサムネイル３４１は
記録可能領域２１２内の他のタイトル３１０，３２０，３３０のサムネイル３１１，３２
１，３３１よりも画面上、上位に表示される。これにより上位に表示されたサムネイル３
４１に係るタイトル３４０は消去禁止の設定がオンになっており当該タイトル３４０に対
しては上書き・消去の指示はできないことをユーザに喚起することができるので、上述の
ように誤った上書きや消去を防止することができる。上述の例ではタイトルが４つの場合
を説明したが、非常に多くのサムネイルが表示される場合には上位の表示ほどユーザの注
意を引きやすいことにかんがみれば、かかる効果は顕著である。その結果、ＤＶＤ装置１
によればユーザにとって使い勝手のよい環境を提供することができる。
【００５２】
しかも、タイトル移動制御によれば、消去禁止タイトル３４０を移動させずに記録可能
領域２１１の途中に残しておく場合と比べて、連続した広い領域をその後の記録可能領域
２１２として確保することができる。すなわち長時間記録が可能である。この点において
も、ＤＶＤ装置１によればユーザにとって使い勝手のよい環境を提供することができる。
【００５３】
また、タイトル移動制御において消去指定のタイトル３４０と他のタイトル３１０，３
２０，３３０との記録領域を入れ替えるので、消去禁止タイトル３４０の移動先にある他
のタイトル３１０，３２０，３３０を上書き・消去することなくＤＶＤ２００内に残して
おくことができる。このため、ユーザは、消去禁止の設定をする際に上記他のタイトル３
１０，３２０，３３０を管理する必要がない。したがって、この点においても、ＤＶＤ装
置１によればユーザにとって使い勝手のよい環境を提供することができる。
【００５４】
さらに、消去禁止タイトル３４０に対して記録動作が行われようとしている場合に当該
タイトル３４０からではなく記録可能領域２１３の先頭から記録動作を開始するので、上
述の誤った上書きや消去をより確実に防止することができる。これとともに、ユーザが記
録位置の確認をする時間および手間を省いて記録動作をすばやく開始することができる。
これにより、ＤＶＤ装置１はユーザにとって使い勝手のよい環境を提供することができる
。
【００５５】
なお、ＤＶＤ装置１をいわゆる（ＨＤＤ内蔵）ＤＶＤレコーダとして説明したが、ＤＶ
Ｄ装置１における上述の制御・動作を実施可能な光ディスク装置を備える限り、例えば、
ＤＶＤ装置１と表示装置６９とが一体化した構成や、パーソナルコンピュータ（デスクト
ップ型であるとノート型であるとを問わない）を利用した構成に対しても上述の説明は妥
当である。
【図面の簡単な説明】
【００５６】
【図１】は、実施形態に係るＤＶＤ装置を説明するためのブロック図である。
【図２】は、実施形態に係る制御を説明するための模式図である。
【図３】は、実施形態に係る管理情報を説明するための模式図である。
【図４】は、実施形態に係る制御を説明するためのフローチャートである。
【図５】は、実施形態に係る制御を説明するためのフローチャートである。
【図６】は、実施形態に係る制御を説明するための画面表示の模式図である。
【図７】は、実施形態に係る制御を説明するための画面表示の模式図である。
【符号の説明】
【００５７】
１    ＤＶＤ装置（光ディスク装置）
１０    メイン制御部（制御部）
２０    ＤＶＤドライブ部（光ディスクドライブ部）
５０    入力部
２００    ＤＶＤ（光ディスク）
２１１，２１２，２１３    タイトル記録可能領域
３００    管理情報
３１０，３２０，３３０，３４０    タイトル
３１１，３２１，３３１，３４１    サムネイル（タイトルに関する情報）
ＳＴ１１    ステップ（情報表示制御）
ＳＴ１３    ステップ（タイトル移動制御）
ＳＴ１４    ステップ（消去禁止情報記録制御）
ＳＴ２２    ステップ（記録位置制御）
【図１】
2006318595.tif 000003
【図２】
2006318595.tif 000004
【図３】
2006318595.tif 000005
【図４】
2006318595.tif 000006
【図５】
2006318595.tif 000007
【図６】
2006318595.tif 000008
【図７】
2006318595.tif 000009